(57)【要約】【課題】光ディスク再生装置において、高サンプリング周波数に対応していない音声出力アンプが接続された場合においても、音声を適正に再生できるようにする。【解決手段】光ディスク再生装置１の電源が投入されたとき、制御部は、まず、ＨＤＭＩケーブルを介して接続されている接続先機器の音声サンプリング周波数対応情報を取得する（＃１）。そして、再生開始の指令が入力されると（＃２においてＹＥＳ）、接続先機器が音声出力に対応した機器であるかが判定される（＃３）。接続先機器が音声出力に対応した機器であり（＃３においてＹＥＳ）、さらに、ソースのサンプリング周波数が接続先機器の対応サンプリング周波数より大きい場合は（＃４においてＹＥＳ）、音声信号を接続先機器に合わせてダウンサンプリングした後（＃５）、出力を開始する（＃６）。【選択図】図４
2007149151.tif 000002
【特許請求の範囲】
【請求項１】
光ディスクにレーザビームを照射して信号の読み出しを行う光ピックアップと、この光ピックアップが読み出した信号を処理する信号処理手段と、この信号処理手段が処理した信号を復号する信号復号手段と、ＨＤＭＩ（High-Definition Multimedia Interface）ケーブルが接続されて、前記信号復号手段が復号した信号を装置外部に出力するＨＤＭＩ出力端子と、前記光ピックアップ、信号処理手段、信号復号手段を制御する制御手段とを備えた光ディスク再生装置において、
前記ＨＤＭＩケーブルを介して５チャンネル対応の音声出力アンプと接続可能であり、
前記制御手段は、
前記ＨＤＭＩケーブルを介して接続される接続先機器が対応している音声サンプリング周波数情報を取得し、
前記ＨＤＭＩケーブルを介して接続される接続先機器が音声出力に対応していない場合には、ＨＤＭＩ出力端子から音声信号を出力せず、
前記ＨＤＭＩケーブルを介して接続される接続先機器が音声出力に対応している場合であって、ソースのサンプリング周波数が前記接続先機器が対応している音声サンプリング周波数より大きいときには、前記信号復号手段が復号した音声信号を接続先機器が対応している音声サンプリング周波数にダウンサンプリング処理した後、該接続先機器に出力することを特徴とする光ディスク再生装置。
【請求項２】
ＨＤＭＩ（High-Definition Multimedia Interface）ケーブルが接続されて、音声信号を装置外部に出力するＨＤＭＩ出力端子を備えた音声信号出力装置において、
前記ＨＤＭＩケーブルを介して５チャンネル対応の音声出力アンプと接続可能であり、
前記ＨＤＭＩケーブルを介して接続される接続先機器が対応している音声サンプリング周波数情報を取得し、ソースのサンプリング周波数が前記接続先機器が対応している音声サンプリング周波数より大きいときには、音声信号を接続先機器に合わせてダウンサンプリング処理した後、該接続先機器に出力することを特徴とする音声信号出力装置。
【請求項３】
請求項１に記載の光ディスク再生装置又は請求項２に記載の音声信号出力装置を備えて成ることを特徴とするＡＶシステム。
【発明の詳細な説明】
【技術分野】
【０００１】
本発明は、ＨＤＭＩ（High-Definition Multimedia Interface）ケーブルを介して音声出力アンプに音声信号を出力する光ディスク再生装置、音声信号出力装置及びＡＶシステムに関するものである。
【背景技術】
【０００２】
従来から、オーディオ用ＣＤ（Compact Disk）には、４４．１ｋＨｚのサンプリング周波数で標本化された音声信号が記録されている。そして、近年は、大容量のＤＶＤ（Digital Versatile Disk)等の光ディスクの普及に伴い、さらなる高音質の要望に堪えるべく、４８ｋＨｚ、９６ｋＨｚ、１９２ｋＨｚの高サンプリング周波数で標本化された音声信号が記録されるようになっており、光ディスク再生装置は、このような様々なサンプリング周波数で記録された音声信号を再生できるように構成されている。
【０００３】
また、近年の光ディスク再生装置は、多チャンネルに対応した音声出力アンプを介して、４個以上のスピーカを接続することにより、サラウンド効果が得られるように構成されている。そして、通常、光ディスク再生装置と音声出力アンプとは、ＨＤＭＩ（High-Definition Multimedia Interface）ケーブルを介して接続されている。
【０００４】
なお、特許文献１には、各帯域のサブバンド信号を出力サブバンド信号に対応した周波数のダウンサンプリングを行う音声符号化装置が示されている。また、特許文献２には、音声信号にスクランブルがかけられている場合に、音声信号を４８ｋＨｚのサンプリング周波数にダウンサンプリングして出力するＤＶＤ再生装置が示されている。また、特許文献３には、受信した圧縮データを再生可能時間に応じてサンプリング周波数を変換する信号再生方法が示されている。
【特許文献１】特開２００１−３０６０９７号公報
【特許文献２】特開２００２−７４８２８号公報
【特許文献３】特開２００３−２０８２００号公報
【発明の開示】
【発明が解決しようとする課題】
【０００５】
ところが、市場に流通している音声出力アンプには、４８ｋＨｚ、９６ｋＨｚ、１９２ｋＨｚの高サンプリング周波数に対応していないものも存在し、このような音声出力アンプに対応していないサンプリング周波数の音声信号を入力した場合には、ノイズが発生したり、音抜けが生ずる等して適正に再生できないという問題が生ずる。
【０００６】
本発明は、高サンプリング周波数に対応していない音声出力アンプが接続された場合においても、音声を適正に再生することができる光ディスク再生装置、音声信号出力装置及びこれを備えたＡＶシステムを提供することを目的とする。
【課題を解決するための手段】
【０００７】
上記目的を達成するために請求項１の発明は、光ディスクにレーザビームを照射して信号の読み出しを行う光ピックアップと、この光ピックアップが読み出した信号を処理する信号処理手段と、この信号処理手段が処理した信号を復号する信号復号手段と、ＨＤＭＩ（High-Definition Multimedia Interface）ケーブルが接続されて、信号復号手段が復号した信号を装置外部に出力するＨＤＭＩ出力端子と、光ピックアップ、信号処理手段、信号復号手段を制御する制御手段とを備えた光ディスク再生装置において、ＨＤＭＩケーブルを介して５チャンネル対応の音声出力アンプと接続可能であり、制御手段は、ＨＤＭＩケーブルを介して接続される接続先機器が対応している音声サンプリング周波数情報を取得し、ＨＤＭＩケーブルを介して接続される接続先機器が音声出力に対応していない場合には、ＨＤＭＩ出力端子から音声信号を出力せず、ＨＤＭＩケーブルを介して接続される接続先機器が音声出力に対応している場合であって、ソースのサンプリング周波数が接続先機器が対応している音声サンプリング周波数より大きいときには、信号復号手段が復号した音声信号を接続先機器が対応している音声サンプリング周波数にダウンサンプリング処理した後、該接続先機器に出力するものである。
【０００８】
請求項２の発明は、ＨＤＭＩ（High-Definition Multimedia Interface）ケーブルが接続されて、音声信号を装置外部に出力するＨＤＭＩ出力端子を備えた音声信号出力装置において、ＨＤＭＩケーブルを介して５チャンネル対応の音声出力アンプと接続可能であり、ＨＤＭＩケーブルを介して接続される接続先機器が対応している音声サンプリング周波数情報を取得し、ソースのサンプリング周波数が接続先機器が対応している音声サンプリング周波数より大きいときには、音声信号を接続先機器に合わせてダウンサンプリング処理した後、該接続先機器に出力するものである。
【０００９】
請求項３の発明は、請求項１に記載の光ディスク再生装置又は請求項２に記載の音声信号出力装置を備えて成るＡＶシステムものである。
【発明の効果】
【００１０】
請求項１の発明によれば、ソースのサンプリング周波数が接続先機器の対応サンプリング周波数より大きいときには、制御手段は、信号復号手段が復号した音声信号を接続先機器に合わせてダウンサンプリング処理した後、接続先機器に出力するので、高サンプリング周波数に対応していない音声出力アンプが接続された場合においても、音声を適正に再生することができる。また、接続先機器が音声出力に対応していない場合には、ＨＤＭＩ出力端子から音声信号を出力しないので、無用な音声信号によって映像にノイズが混入する虞もなく、クリアな映像を楽しむことができる。
【００１１】
請求項２の発明によれば、ソースのサンプリング周波数が接続先機器が対応している音声サンプリング周波数より大きいときには、音声信号を接続先機器に合わせてダウンサンプリング処理した後、接続先機器に出力するので、高サンプリング周波数に対応していない音声出力アンプが接続された場合においても、請求項１と同様に、音声を適正に再生することができる。
【００１２】
請求項３の発明によれば、請求項１に記載の光ディスク再生装置又は請求項２に記載の音声信号出力装置を備えたＡＶシステムを構築することができる。
【発明を実施するための最良の形態】
【００１３】
本発明を実施するための最良の実施形態による光ディスク再生装置を備えたＡＶシステム（ホームシアタシステム）について図面を参照して説明する。図１は光ディスク再生装置を用いたＡＶシステムを示している。ＡＶシステム１００は、光ディスクに記録された映像信号及び音声信号を再生する光ディスク再生装置１と、光ディスク再生装置１が再生した音声信号を増幅して出力する５チャンネル対応の音声出力アンプ２と、音声出力アンプ２から出力された音声信号に応じて音声を出力するスピーカＦＬ（フロントレフト）、ＦＲ（フロントライト）、Ｃ（センタ）、ＳＬ（サラウンドレフト）、ＳＲ（サラウンドライト）と、光ディスク再生装置１が再生した映像信号に応じて映像を出力するモニタ装置３と、ユーザ１０１が光ディスク再生装置１及び音声出力アンプ２に各種の指令を入力するためのリモコン装置４等によって構成されている。スピーカＦＬ、ＦＲ、Ｃ、ＳＬ、ＳＲは、ユーザ１０１の嗜好等によって適宜取捨選択可能である。
【００１４】
光ディスク再生装置１と音声出力アンプ２とは、ＨＤＭＩ（High-Definition Multimedia Interface）ケーブル５によって接続され、デジタル信号が送信される。また、音声出力アンプ２と各スピーカＦＬ、ＦＲ、Ｃ、ＳＬ、ＳＲとは、通常のスピーカケーブル６によって接続され、音声出力アンプ２によって増幅されたアナログの音声信号が送信される。また、音声出力アンプ２とモニタ装置３とは、デジタル対応又はアナログ対応の映像出力ケーブル７によって接続されている。
【００１５】
図２は、光ディスク再生装置１の構成を示している。光ディスク再生装置１は、光ディスクにレーザビームを照射して信号の読み出しを行う光ピックアップ１１と、この光ピックアップ１１が読み出した信号を処理する信号処理部（信号処理手段）１２と、信号処理部１２が処理した信号を復号するデコーダ（信号復号手段）１３と、ＨＤＭＩケーブル５が接続されて、デコーダ１３が復号した信号を装置外部に出力するＨＤＭＩ出力端子１４と、光ピックアップ１１、信号処理部１２、デコーダ１３を制御する制御部（制御手段）１５と、リモコン装置４から送信された指令を受信する受信部１６等によって構成されている。
【００１６】
本実施形態の光ディスク再生装置１は、音声出力アンプ２の対応サンプリング周波数に応じて、ソースの音声信号をダウンサンプリングして出力する機能を有している。この機能は、ユーザがリモコン装置４を操作することによって有効又は無効にすることができる。
【００１７】
図３は、光ディスク再生装置１から音声出力アンプ２に出力される音声信号のサンプリング周波数を示している。光ディスク再生装置１に接続される接続先機器（図１に示すホームシアタシステムにおいては、音声出力アンプ２）に出力される音声信号のサンプリング周波数は、ソースのサンプリング周波数と、接続先機器の対応サンプリング周波数によって異なる。
【００１８】
例えば、モニタ装置３として、プロジェクタ（画像投影装置）が接続され、音声出力アンプ２が接続されない場合には、接続先機器が音声出力に対応していないものとして、光ディスク再生装置１から音声信号は出力されない。以下、モニタ装置３として、ＬＣＤ（Liquid Crystal Display)が接続された場合について説明する。まず、接続先機器の対応サンプリング周波数が４４．１ｋＨｚであって、ソースのサンプリング周波数が４８ｋＨｚ、９６ｋＨｚ、又は１９２ｋＨｚである場合には、光ディスク再生装置１からダウンサンプリングされた４４．１ｋＨｚの音声信号が出力される。
【００１９】
また、接続先機器の対応サンプリング周波数が４４．１ｋＨｚ／４８ｋＨｚであって、ソースのサンプリング周波数が９６ｋＨｚ、又は１９２ｋＨｚである場合には、光ディスク再生装置１からダウンサンプリングされた４８ｋＨｚの音声信号が出力される。なお、モニタ装置３がテレビジョン受像機である場合は、サンプリング周波数が４４．１ｋＨｚ又は４８ｋＨｚである場合が多いので、本事例の典型的な具体例に該当する。
【００２０】
同様に、対応サンプリング周波数が４４．１ｋＨｚ／４８ｋＨｚ／９６ｋＨｚであって、ソースのサンプリング周波数が１９２ｋＨｚである場合には、光ディスク再生装置１からダウンサンプリングされた９６ｋＨｚの音声信号が出力される。そして、接続先機器の対応サンプリング周波数が４４．１ｋＨｚ／４８ｋＨｚ／９６ｋＨｚ／１９２ｋＨｚである場合には、音声信号はダウンサンプリングされることなく光ディスク再生装置１から出力される。このように、ソースのサンプリング周波数に接続先機器が対応している場合（例えば、接続先機器の対応サンプリング周波数が４４．１ｋＨｚ／４８ｋＨｚ／９６ｋＨｚであって、ソースのサンプリング周波数が９６ｋＨｚである場合）には、音声信号はダウンサンプリングされることなく光ディスク再生装置１から出力される。
【００２１】
図４は、音声信号の再生を開始するまでの制御部１５の処理を示している。光ディスク再生装置１の電源が投入されたとき、制御部１５は、まず、ＨＤＭＩケーブル５を介して接続されている接続先機器の音声サンプリング周波数対応情報を取得する（＃１）。そして、リモコン装置４を介して再生開始の指令が入力されると（＃２においてＹＥＳ）、接続先機器が音声出力に対応した機器であるかが判定される（＃３）。この判定は、＃１において取得した音声サンプリング周波数対応情報に基いてなされる。ここで、接続先機器が音声出力に対応した機器でなければ（＃３においてＮＯ）、音声信号を出力しない（＃７）。従って、このとき映像信号のみの出力となる。一方、接続先機器が音声出力に対応した機器であれば（＃３においてＹＥＳ）、ソースのサンプリング周波数と接続先機器が対応しているサンプリング周波数とが比較される（＃４）。ソースのサンプリング周波数が接続先機器の対応サンプリング周波数より大きい場合は（＃４においてＹＥＳ）、音声信号を接続先機器の対応サンプリング周波数のうち最大の周波数にダウンサンプリングした後（＃５）、出力を開始する（＃６）。ソースのサンプリング周波数が接続先機器の対応サンプリング周波数より小さい場合は（＃４においてＮＯ）、＃５をスキップして、ダウンサンプリングすることなく、音声信号の出力を開始する（＃６）。
【００２２】
以上のように、本実施形態の光ディスク再生装置１によれば、ソースのサンプリング周波数が接続先機器が対応している音声サンプリング周波数より大きいときには、制御部１５は、デコーダ１３が復号した音声信号を接続先機器に合わせてダウンサンプリング処理した後、接続先機器に出力するので、高サンプリング周波数に対応していない音声出力アンプが接続された場合においても、音声を適正に再生することができる。また、制御手段が、接続先機器が音声出力に対応していない場合には、ＨＤＭＩ出力端子から音声信号を出力しないので、無用な音声信号によって映像にノイズが混入する虞もなく、クリアな映像を楽しむことができる。
【００２３】
なお、本発明は上記実施形態の構成に限られることなく、少なくとも、ＨＤＭＩケーブルを介して接続される機器が対応している音声サンプリング周波数を再生前に知得して、ソースの音声信号のサンプリング周波数を機器の対応サンプリング周波数に合わせてダウンサンプリングするように構成されていればよい。また、本発明は光ディスク再生装置に限られることなく、多サンプリング周波数対応の音声信号を出力する装置（例えば、テレビジョン放送受信装置等）に幅広く適用が可能である。
【図面の簡単な説明】
【００２４】
【図１】本発明の一実施形態によるＡＶシステムの構成を示す図。
【図２】同システムに適用される光ディスク再生装置の構成を示すブロック図。
【図３】種々の機器が接続され、種々のソースを再生する場合における光ディスク再生装置から音声出力アンプに出力される音声信号のサンプリング周波数を示す図。
【図４】音声信号の再生を開始するまでの制御部の処理を示すフローチャート。
【符号の説明】
【００２５】
１    光ディスク再生装置
２    音声出力アンプ
３    モニタ装置
５    ＨＤＭＩケーブル
１１    光ピックアップ
１２    信号処理部（信号処理手段）
１３    デコーダ（信号復号手段）
１４    ＨＤＭＩ出力端子
１５    制御部（制御手段）
１００    ＡＶシステム
【図１】
2007149151.tif 000003
【図２】
2007149151.tif 000004
【図３】
2007149151.tif 000005
【図４】
2007149151.tif 000006